【誤訳訂正書】
【提出日】令和3年9月7日(2021.9.7)
【誤訳訂正１】
【訂正対象書類名】明細書
【訂正対象項目名】００２８
【訂正方法】変更
【訂正の内容】
【００２８】
３ＧＰＰ  Ｒ２−１９００３７０の付属書は、ＮＷ（Network）設定／事前設定されたＳＬＲＢ（Sidelink  Radio  Bearer）のいくつかの候補オプションを以下のように説明している：
付録：ＮＷ設定／事前設定ＳＬＲＢの候補オプション
ＬＴＥ  ＳＬからの経験によると、異なるＲＲＣ状態／リソース割り当てモードを有するＵＥは、そのＳＬ（事前）設定について異なるシグナリング方法および手順に依存する可能性がある（すなわち、専用シグナリング、システム情報、および事前設定）。したがって、異なるシグナリングフローを持つオプションは、以下に与えられる。
［．．．］
●  オプション３
［“PC5  QoS  profile  based,  cell  specific  configuration  (e.g.  in  V2X  specific  SIB)”と題する、３ＧＰＰ  Ｒ２−１９００３７０の図Ａ−３を図５として複製］
オプション３は、同様にＲＲＣ＿ＩＤＬＥ／ＲＲＣ＿ＩＮＡＣＴＩＶＥ  ＵＥに対して、ＮＷ設定のＳＬＲＢを適用したいときに適用される。具体的には、このオプションでは、ｇＮＢ／ｎｇ−ｅＮＢはＶ２Ｘ固有のＳＩＢを使用して、各可能なＰＣ５  ＱｏＳプロファイルに関連付けられたＳＬＲＢ設定をブロードキャストする。次いで、固有のＰＣ５  ＱｏＳプロファイルを有するパケットがステップ１および２のように到着するときに、ＵＥは、ＳＩＢにおけるブロードキャストされたセル固有の設定に従って、これらのＱｏＳプロファイルに対応するＳＬＲＢを確立し、確立されたＳＬＲＢにパケットをマッピングする。
適用性：このオプションは、ＵＥ固有のＳＬＲＢ構成をセル固有の構成に変えるだけである。ＲＲＣ＿ＩＤＬＥ／ＲＲＣ＿ＩＮＡＣＴＩＶＥ  ＵＥのために主に設計されているが、ＲＲＣ＿ＣＯＮＮＥＣＴＥＤ  ＵＥのためにも技術的に使用可能である。
●  オプション４
［“PC5  QoS  profile  based,  pre-configuration”と題する、３ＧＰＰ  Ｒ２−１９００３７０の図Ａ−４を図６として複製］
オプション４は、事前設定されたＳＬＲＢも導入したい場合に、主にカバレッジ外のＵＥを対象としている。具体的には、すべてのＰＣ５  ＱｏＳプロファイルに関連付けられたＳＬＲＢは、ＵＥ内で事前設定される（Ｖ１シグナリング、ＵＩＣＣで事前設定、またはＭＥ  ［１］で事前設定のいずれか）。次に、オプション３のように、ＵＥは到着パケットのＰＣ５  ＱｏＳプロファイルに関連付けられたＳＬＲＢを自律的にセットアップし、確立されたＳＬＲＢにパケットをマッピングする。
適用性：このオプションは、主にカバレッジ外のＵＥを対象としているが、技術的には、ＲＲＣ＿ＣＯＮＮＥＣＴＥＤ  ＵＥ、ＲＲＣ＿ＩＤＬＥ／ＲＲＣ＿ＣＯＮＮＥＣＴＥＤ  ＵＥ、およびカバレッジ外のＵＥのすべてに適用可能である（ただし、事前設定は通常、フレキシブルではないと見なされる）。
●  オプション５
［“PC5  QoS  flow  based:  pre-configuration”と題する、３ＧＰＰ  Ｒ２−１９００３７０の図Ａ−５を図７として複製］
オプション４と同様に、オプション５は、事前設定ベースの方法についての可能な解決策を提供するが、代わりにＰＣ５  ＱｏＳフローを使用する。具体的には、ステップ０のように、上位レイヤでフィルタリングのために使用されるＰＣ５  ＱｏＳ規則と、ＡＳレイヤ内の各ＰＣ５  ＱｏＳフローのためのＳＬＲＢ設定の両方を事前設定すべきである。その後、ＵＥは、上記のオプション２のように、パケットに関連付けられたＰＣ５  ＱｏＳフロー識別子に依存して、それらをＡＳ処理のために対応するＳＬＲＢにマッピングする。
適用性：このオプションは、主にカバレッジ外のＵＥを対象としているが、技術的には、ＲＲＣ＿ＣＯＮＮＥＣＴＥＤ  ＵＥ、ＲＲＣ＿ＩＤＬＥ／ＲＲＣ＿ＣＯＮＮＥＣＴＥＤ  ＵＥ、およびカバレッジ外のＵＥのすべてに適用可能である。
【誤訳訂正２】
【訂正対象書類名】明細書
【訂正対象項目名】００３２
【訂正方法】変更
【訂正の内容】
【００３２】
３ＧＰＰ  ＴＳ  ２３．２８７  Ｖ１．０．０．０は、Ｖ２Ｘサービスに対する以下のサポートを特定する：
５．１．２  ＰＣ５参照ポイント上のＶ２Ｘ通信のための認可とプロビジョニング
５．１．２．１  ポリシー／パラメータのプロビジョニング
ＰＣ５リファレンスポイント上のＶ２Ｘ通信の以下の情報がＵＥに提供される：
［．．．］
（２）ＵＥが「Ｅ−ＵＴＲＡによってサービスされない」および「ＮＲによってサービスされない」のときの無線パラメータ：
−  地理的エリアを有するＰＣ５  ＲＡＴ（ＬＴＥ  ＰＣ５、ＮＲ  ＰＣ５）あたりの無線パラメータと、それらが「オペレータ管理」または「非オペレータ管理」についての指示とを含む。ＵＥは、無線パラメータを使用して、「Ｅ−ＵＴＲＡによってサービスされない」と「ＮＲによってサービスされない」ときに、ＵＥが該当する地理的エリアに自体を確実に位置することができる場合にのみ、ＰＣ５  リファレンスポイント上でＶ２Ｘ通信を行う。さもなければ、ＵＥは送信する権限がない。
Editors' note：無線パラメータ（例えば、周波数帯域）は、ＲＡＮ  ＷＧによって定義される予定である。ＲＡＮ仕様書への参照が、ＲＡＮ  ＷＧにおいて定義されたときに追加されるだろう。
NOTE１：周波数帯域が所与の地理的エリアにおいて「オペレータ管理」か「非オペレータ管理」かは、現地の規制によって定義される。
［…］
６）  ＮＲ  ＰＣ５が選択されるときのポリシー／パラメータ：
−  サービスタイプ（例えば、ＰＳＩＤまたはＩＴＳ−ＡＩＤ）と地理的エリアを伴うＶ２Ｘ周波数とのマッピング。
−  送信先レイヤ２ＩＤと、Ｖ２Ｘサービス、例えば、ブロードキャストのためのＶ２ＸアプリケーションのＰＳＩＤまたはＩＴＳ−ＡＩＤとのマッピング。
−  送信先レイヤ２ＩＤと、Ｖ２Ｘサービス、例えば、グループキャストのためのＶ２ＸアプリケーションのＰＳＩＤまたはＩＴＳ−ＡＩＤとのマッピング。
−  ユニキャスト接続を確立するための初期シグナリングのためのデフォルトの送信先レイヤ２ＩＤと、Ｖ２Ｘサービス、例えばＶ２ＸアプリケーションのＰＳＩＤまたはＩＴＳ−ＡＩＤとのマッピング。
NOTE２：  ユニキャスト初期シグナリングのための同じデフォルト送信先レイヤ２ＩＤが、複数のＶ２Ｘサービスにマッピングされ得る。異なるＶ２Ｘサービスがデフォルト送信先レイヤ２ＩＤと区別するためにマッピングされる場合、ＵＥが複数のＶ２Ｘサービスに使用され得る単一ユニキャストリンクを確立することを意図しているときに、ＵＥは、初期シグナリングのために使用されるデフォルト送信先ＩＤ２のうちのいずれかを選択することができる。
−  Ｖ２Ｘサービス（例えば、ＰＳＩＤまたはＩＴＳ−ＡＩＤ）と、ＵＥ自律型リソース選択モードに対する認可されたＰＣ５  ＱｏＳパラメータ（例えば、５．４．２項で定義されるＰＣ５  ＱｏＳパラメータ）とのマッピング
［…］
５．２  Ｖ２Ｘ通信
５．２．１  ＰＣ５参照ポイント上のＶ２Ｘ通信
５．２．１．１  概要
Ｖ２Ｘ通信の場合、２つのタイプのＰＣ５参照ポイントが存在する。すなわち、ＴＳ  ２３．２８５［８］で定義されるようなＬＴＥベースのＰＣ５参照ポイントと、４．２．３項で定義されるようなＮＲベースのＰＣ５参照ポイントである。ＵＥは、ＵＥがサポートするサービスに応じてＶ２Ｘ通信にたしてＰＣ５のいずれかのタイプまたはその両方を使用することができる。ＰＣ５参照ポイント上のＶ２Ｘ通信は、ローミングおよびＰＬＭＮ間動作をサポートする。ＰＣ５参照ポイント上のＶ２Ｘ通信は、ＵＥが「ＮＲまたはＥ−ＵＴＲＡによってサービスされる」とき、またはＵＥが「ＮＲまたはＥ−ＵＴＲＡによってサービスされない」ときにサポートされる。
ＵＥは、５．１．２項に規定されるような有効な権限および設定を有するときに、Ｖ２Ｘを送受信する権限がある。
ＰＣ５参照ポイント上のＶ２Ｘ通信は、以下の特性を有する：
−  ＬＴＥベースのＰＣ５参照ポイント上のＶ２Ｘ通信は、接続レス、すなわち、ＡＳ（Ａｃｃｅｓｓ  Ｓｔｒａｔｕｍ）レイヤでブロードキャストモードであり、接続確立のためにＰＣ５を介したシグナリングは存在しない。
−  ＮＲベースのＰＣ５参照ポイント上のＶ２Ｘ通信は、ＡＳレイヤでブロードキャストモード、グループキャストモードおよびユニキャストモードをサポートする。ＵＥは、Ｖ２Ｘメッセージのための通信のモードをＡＳレイヤに指示する。ユニキャスト通信管理のためのＰＣ５参照ポイント上の制御プレーンのシグナリングがサポートされる。
−  Ｖ２ＸサービスはＰＣ５ユーザプレーンでＵＥ間をサポートする。
−  Ｖ２ＸメッセージがＰＣ５ユーザプレーンでＵＥ間で交換される。
−  ＩＰベースおよび非ＩＰベースのＶ２Ｘメッセージの両方がＰＣ５参照ポイント上でサポートされる。
−  ＩＰベースのＶ２Ｘメッセージの場合、ＩＰｖ６のみが使用される。ＩＰｖ４はサポートされない。
ＰＣ５参照ポイント上のＶ２Ｘ通信で使用される識別子は、５．６．１項で説明される。ＵＥは、ＰＣ５参照ポイントのタイプと、５．１．２項で説明された設定に基づいた特定のパケットの送信に使用されるＴｘプロファイルについて決定する。ＬＴＥベースのＰＣ５参照ポイントが選択されるときに、ＱｏＳ処理対応手順がＴＳ  ２３．２８５［８］において定義される。ＮＲベースのＰＣ５参照ポイントが選択されるときに、ＱｏＳ処理および手順が５．４．１項および６．３項において定義される。
ＵＥがＩＭＳを介した進行中の緊急セッションを有する場合、ＩＭＳを介した進行中の緊急セッションは、ＰＣ５参照ポイント上のＶ２Ｘ通信よりも優先されるものとする。
NOTE：ＩＭＳセットアップを介した緊急セッションは、適切な地域／国の規則要件と、ＴＳ  ２３．５０１［６］に規定されるようなオペレータポリシーに基づく。
［…］
５．２．１．４  ＰＣ５参照ポイント上のユニキャストモード通信
ユニキャストモードの通信は、ＮＲベースのＰＣ５参照ポイント上でのみサポートされる。図５．２．１．４−１は、ＰＣ５ユニキャストリンクの例示的な粒度を示す。
［…］
［“Ｇｒａｎｕｌａｒｉｔｙ  ｏｆ  ＰＣ５  Ｕｎｉｃａｓｔ  Ｌｉｎｋ”と題する、３ＧＰＰ  ＴＳ  ２３．２８７  Ｖ１．０．０の図５．２．１．４−１は省略］
Ｖ２Ｘ通信がＰＣ５ユニキャストリンク上で搬送されるときに、以下の原則が適用される：
−  ＰＣ５ユニキャストリンクの粒度は、両方のＵＥに対するアプリケーションレイヤＩＤのペアと同じである。したがって、Ｖ２Ｘサービスが同じペアのアプリケーションレイヤＩＤに関連付けられている場合、１つのＰＣ５ユニキャストリンクは、１つ以上のＶ２Ｘサービス（例えば、ＰＳＩＤまたはＩＴＳ−ＡＩＤ）をサポートする。例えば、図５．２．１．４−１に示されているように、ＵＥ  Ａは、アプリケーションレイヤＩＤ２によって識別されるピアＵＥとの１つのＰＣ５ユニキャストリンクと、アプリケーションレイヤＩＤ４によって識別されるピアＵＥとの別のＰＣ５ユニキャストリンクとを有する。
NOTE：ＵＥ  Ａの観点からすると、ＵＥ  Ａは、ピアＵＥが提供するアプリケーションレイヤＩＤが同じＵＥに属することを知らなくてもよい。その場合、ＵＥは、複数のＰＣ５ユニキャストリンクが同じピアＵＥに関連付けられていることを知る必要はない。
−  ＵＥは、例えば、ネットワークレイヤプロトコル（例えば、ＩＰまたは非ＩＰ）に応じて、別個のＰＣ５ユニキャストリンクを確立するように決定してもよい。
−  １つのＰＣ５ユニキャストリンクは、同じか、または異なるＶ２Ｘサービスに対して１つ以上のＰＣ５  ＱｏＳフローをサポートする。
−  異なるＰＣ５  ＱｏＳフローは、５．４．１．１．１項に規定されるように異なるＶ２Ｘパケットに対して選択されてもよい。
アプリケーションレイヤがＰＣ５ユニキャスト通信を必要とするＶ２Ｘサービスを開始するときに、ＵＥは、６．３．３．１項に規定されるように対応するＵＥとのＰＣ５ユニキャストリンクを確立する。
ＰＣ５ユニキャストリンクの確立に成功した後、ＵＥ  ＡおよびＵＥ  Ｂは、５．６．１．４項に規定されるように、後続のＰＣ５−Ｓシグナリングメッセージ交換およびＶ２Ｘサービス送信に対して同じペアのレイヤ２ＩＤを使用する。送信側ＵＥのＶ２Ｘレイヤは、ＡＳレイヤに、メッセージが、ＰＣ５−Ｓシグナリングメッセージを対象とする（すなわち、直接通信要求／許可、リンク識別子更新要求／応答、接続解除要求／許可）か、確立されたＰＣ５リンク上でメッセージを送信するときのサービスデータ送信であるかを指示する。受信側ＵＥのＶ２Ｘレイヤは、ＰＣ５−Ｓシグナリングメッセージである場合、メッセージを処理するが、受信側ＵＥのＶ２Ｘレイヤは、アプリケーションデータメッセージである場合、メッセージを上位レイヤに転送する。
ユニキャストモードは、５．４．１．４項に規定されるように、フローごとのＱｏＳモデルをサポートする。ユニキャストリンクの確立中に、各ＵＥは、ＰＣ５リンク識別子を自己割り当てし、確立されたユニキャストリンクのためのユニキャストリンクプロファイルにＰＣ５リンク識別子を関連付ける。ＰＣ５リンク識別子は、ＵＥ内の一意の値である。ＰＣ５リンク識別子によって識別されるユニキャストリンクプロファイルは、サービスタイプ（例えば、ＰＳＩＤまたはＩＴＳ−ＡＩＤ）、ＵＥ  ＡのアプリケーションレイヤＩＤおよびレイヤ２ＩＤ、ＵＥ  ＢのアプリケーションレイヤＩＤおよびレイヤ２  ＩＤ、ならびにＰＣ５  ＱｏＳフロー識別子（ＰＦＩ）のセットを含む。各ＰＦＩは、ＱｏＳパラメータ（すなわち、ＰＱＩおよびオプションのＲａｎｇｅ）に関連付けられる。ＰＣ５リンク識別子およびＰＦＩは、アプリケーションレイヤＩＤおよびレイヤ２  ＩＤの変更にかかわらず、確立されたユニキャストリンクに対して変更されない値である。ＵＥは、ＰＦＩを使用して、ＰＣ５  ＱｏＳフローをＡＳレイヤに指示するため、例えばプライバシーサポートにより送信元および／または宛先レイヤ２ＩＤが変更された場合でも、ＡＳレイヤは対応するＰＣ５  ＱｏＳフローを識別する。ＵＥは、ＰＣ５リンク識別子を使用して、ＰＣ５ユニキャストリンクをＶ２Ｘアプリケーションレイヤに指示するため、Ｖ２Ｘアプリケーションレイヤは、１つのサービスタイプに関連付けられた複数のユニキャストリンクがあっても、対応するＰＣ５ユニキャストリンクを識別する（例えば、ＵＥは、同じサービスタイプに対して複数のＵＥと複数のユニキャストリンクを確立する）。
Editor's note：ＰＣ５  ＱｏＳフロー識別子を決定する方法、すなわち、自己割り当てか、事前設定かはＦＦＳである。
［．．．］
５．４  ２Ｘ通信のためのＱｏＳ処理
５．４．１  ＰＣ５リファレンスポイント上のＶ２Ｘ通信のためのＱｏＳハンドリング
５．４．１．１  ＱｏＳモデル
５．４．１．１．１  概要
ＬＴＥベースのＰＣ５の場合、ＱｏＳ処理は、ＰＰＰＰ（ＰｒｏＳｅ  Ｐｅｒ−Ｐａｃｋｅｔ  Ｐｒｉｏｒｉｔｙ）とＰＰＰＲ（ＰｒｏＳｅ  Ｐｅｒ−Ｐａｃｋｅｔ  Ｒｅｌｉａｂｉｌｉｔｙ）に基づいて、ＴＳ  ２３．２８５［８］において定義される。
ＮＲベースのＰＣ５の場合、Ｕｓ参照ポイントに対してＴＳ  ２３．５０１［６］で定義されたものと類似するＱｏＳモデルが使用される、すなわち、Ｒａｎｇｅの追加パラメータと共に５ＱＩに基づく。
ＮＲベースのＰＣ５リファレンスポイント上のＶ２Ｘ通信の場合、ＰＣ５  ＱｏＳフローは、５．４．２項で定義されたＰＣ５  ＱｏＳパラメータを含むＰＣ５  ＱｏＳルールに関連付けられる。標準化されたＰＣ５  ５ＱＩ（ＰＱＩ）のセットは、５．４．４項に定義される。ＵＥには、５．１．２．１項で定義されているように、Ｖ２Ｘサービスに使用するデフォルトのＰＣ５  ＱｏＳパラメータのセットが設定され得る。ＮＲベースのユニキャスト、グループキャストおよびブロードキャストＰＣ５通信に対しては、ＰＣ５  ＱｏＳ管理のためにフローごとのＱｏＳモデルが適用されるものとする。図５．４．１．１．１−１は、ＮＲ  ＰＣ５に対するフローごとのＱｏＳモデルの例示的なマッピングを示す。ＰＣ５  ＱｏＳルールおよびＰＦＩ関連動作の詳細については、５．４．１．１．２項で説明する。
［“Ｐｅｒ−Ｆｌｏｗ  ＰＣ５  ＱｏＳ  Ｍｏｄｅｌ  ｆｏｒ  ＮＲ  ＰＣ５”と題する、３ＧＰＰ  ＴＳ  ２３．２８７  Ｖ１．０．０の図５．４．１．１．１−１を図９として複製］
Ｖ２Ｘ通信がＰＣ５リファレンスポイント上で搬送されるときに、以下の原則が適用される：
−  アプリケーションレイヤは、ＴＳ  ２３．２８５［８］定義のＰＰＰＰおよびＰＰＰＲモデルまたはＰＱＩおよびＲａｎｇｅモデルのいずれかを使用して、Ｖ２Ｘ通信のためのサービス要件を設定してもよい。ＵＥは、送信のために選択されたＰＣ５リファレンスポイント、すなわちＬＴＥベースか、ＮＲベースかに応じて、アプリケーションレイヤ提供のサービス要件を、下位レイヤに渡される適切なＱｏＳパラメータにマッピングしてもよい。２つのＱｏＳモデル間のマッピングは、第５．４．２項で定義される。ＮＲベースのＰＣ５を介したＶ２Ｘ通信の場合、異なるＶ２Ｘパケットが異なるＱｏＳ処理を必要としてもよいその場合、Ｖ２Ｘパケットは、異なるＰＦＩによって識別されるＰＣ５  ＱｏＳフロー内のＶ２Ｘレイヤからアクセス層レイヤに送信されるものとする。
−  ＮＲベースのＰＣ５を介したＶ２Ｘ通信のグループキャストまたはユニキャストモードを使用するときに、ＲａｎｇｅパラメータはＶ２Ｘ通信のためのＱｏＳパラメータに関連付けられる。このＲａｎｇｅは、Ｖ２Ｘアプリケーションレイヤによって提供されるか、５．１．２．１項で定義されたような設定に基づいてサービスタイプからマッピングされたデフォルト値を使用してもよい。Ｒａｎｇｅは、ＱｏＳパラメータが満たされる必要がある最小距離を指示する。Ｒａｎｇｅパラメータは、動的制御のためにＱｏＳパラメータと共にＡＳレイヤに渡される。
−  ＮＲベースのＰＣ５は、ブロードキャスト、グループキャスト、ユニキャストの３つタイプの通信モードをサポートする。これらの異なるモードのＱｏＳ処理は、５．４．１．２〜５．４．１．４項で説明されている。
−  ＵＥは、ブロードキャスト、グループキャスト、およびユニキャストトラフィックを、それらのすべての優先順位、例えば、ＰＱＩによって示される優先順位を考慮して処理することができる。
−  ＮＲベースのＰＣ５上のＶ２Ｘ通信のブロードキャストおよびグループキャストモードの場合、これらの場合にはＰＣ５参照ポイント上のシグナリングがないので、標準化ＰＱＩ値がＵＥによって適用される。
−  ネットワークスケジュールの動作モードを使用するときに、ＮＲベースのＰＣ５のためのＵＥ−ＰＣ５−ＡＭＢＲは、すべてのタイプの通信モードに適用され、リソース管理におけるＵＥのＮＲベースのＰＣ５送信をキャップするためにＮＧ−ＲＡＮによって使用される。
Editor's  note：ＰＱＩとＲａｎｇｅを含む新しいＱｏＳモデルのサポートは、ＲＡＮ  ＷＧのフィードバックに応じる。
５．４．１．１．２  ＰＣ５  ＱｏＳルールとＰＦＩ
以下の説明は、ネットワークスケジュールの動作モードおよびＵＥ自律型リソース選択モードの両方に適用する。
ＮＲ  ＰＣ５  ＱｏＳメカニズムの場合、５．４．２項で定義されたＰＣ５  ＱｏＳパラメータ（すなわち、ＰＱＩおよびＭＦＢＲ／ＧＦＢＲなどの条件付きの他のパラメータ）を導出するために「ＰＣ５  ＱｏＳルール」が定義される。ＰＦＩはＵＥによって割り当てられる。以下の動作は、ＰＣ５  ＱｏＳパラメータを導出するために適用される。
ａ）  Ｖ２ＸアプリケーションレイヤがＶ２Ｘサービスのためのサービス要件、例えば、優先順位要件、信頼性要件、遅延要件をＶ２Ｘレイヤに提供するときに、Ｖ２Ｘレイヤは、ＰＣ５  ＱｏＳルールに基づくサービス要件からＰＣ５  ＱｏＳパラメータを導出する。
ｂ）  さもなければ、すなわち、Ｖ２ＸアプリケーションレイヤがＶ２ＸレイヤにＶ２Ｘサービスのためのサービス要件に関する情報を提供しないときに、Ｖ２Ｘレイヤは、Ｖ２Ｘサービスタイプ（例えば、ＰＳＩＤ／ＩＴＳ−ＡＩＤ）と、５．１．２．１項で定義された許可ＰＣ５  ＱｏＳパラメータとの間のマッピングに基づいて、Ｖ２Ｘサービスに対応する許可ＰＣ５  ＱｏＳパラメータを使用する。
Editor's  Note：ＰＣ５  ＱｏＳルールの詳細はＦＦＳである。
Editor's  Note：ＰＣ５  ＱｏＳパラメータ（サービス要件以外の他の入力）を導出するために、ＮＲ  ＰＣ５を介したＩＰ  通信のために他の動作を定義する必要があるかどうかはＦＦＳである。
Editor's  Note：ＮＲ  ＰＣ５を介した非ＩＰ通信では、ＰＣ５  ＱｏＳルールの動作の作用方法はＦＦＳである。
図５．４．１．１．２−１は、ＮＲ  ＰＣ５を介したＶ２Ｘ通信のためのＰＣ５  ＱｏＳパラメータの導出方法を示す。
［．．．］
［“Ｄｅｒｉｖｉｎｇ  ＰＣ５  ＱｏＳ  ｐａｒａｍｅｔｅｒｓ  ｆｏｒ  Ｖ２Ｘ  ｃｏｍｍｕｎｉｃａｔｉｏｎ  ｏｖｅｒ  ＮＲ  ＰＣ５”と題する、３ＧＰＰ  ＴＳ  ２３．２８７  Ｖ１．０．０の図５．４．１．１．２−１は省略］
ＮＲ  ＰＣ５リファレンスポイント上のＶ２Ｘ通信の場合、ＰＣ５  ＱｏＳフローは、宛先レイヤ２  ＩＤによって識別される同じ宛先におけるＱｏＳ差分化の最も小さい粒度である。同じＰＦＩを持つユーザープレーントラフィックは、同じトラフィックフォワード処理（スケジューリング、入場しきい値など）を受信する。ＰＦＩは、同一の宛先内で一意である。ＵＥは、Ｖ２Ｘサービスのために導出されたＰＣ５  ＱｏＳパラメータに基づいてＰＦＩを割り当てる。
Editor's  Note：ユニキャストリンクのための２つのＵＥ間で、ＰＦＩと対応するＰＣ５  ＱｏＳパラメータをＰＣ５−Ｓメッセージ上で交換する必要があるかどうかはＦＦＳである。
ＵＥは、宛先レイヤ２  ＩＤによって識別される宛先毎のコンテキストにおいて、ＰＣ５  ＱｏＳパラメータおよびＶ２ＸサービスへのＰＦＩのマッピングを維持する。ＵＥがＶ２Ｘサービスに新しいＰＦＩを割り当てるときに、ＵＥはそれを対応するＰＣ５  ＱｏＳパラメータとＶ２Ｘサービス（例えば、ＰＳＩＤまたはＩＴＳ−ＡＩＤ）と共に宛先のためのコンテキストに記憶する。ＵＥがＰＦＩを解放すると、ＵＥはそれを宛先のためのコンテキストから削除する。コンテキストは、ＵＥが、Ｖ２Ｘアプリケーションレイヤからの任意のＶ２ＸサービスのＶ２ＸパケットのＰＦＩがすでに存在するか、Ｖ２Ｘパケットに新しいＰＦＩを割り当てる必要があるかを決定することを可能にする。ユニキャストの場合、５．２．１．４節に定義されているユニキャストリンクプロファイルをＰＦＩ情報を記憶するコンテキストとして使用することができる。
Ｖ２Ｘレイヤは、ＰＦＩおよび対応するＰＣ５  ＱｏＳパラメータを、フローごとのＱｏＳモデル動作のＡＳレイヤに提供する。
５．４．１．２  ＰＣ５参照ポイント上のブロードキャストモードのＶ２Ｘ通信のためのＱｏＳ処理
ＰＣ５ブロードキャストをＶ２Ｘサービスデータの送信に使用するときに、ネットワークスケジュールの動作モードとＵＥ自律型リソース選択モードの両方で以下の原則に従う：
−  ５．４．２項で定義されたＰＣ５  ＱｏＳパラメータが適用される。
−  アプリケーションレイヤがＶ２Ｘサービスのためのサービス要件を提供する場合、Ｖ２Ｘレイヤは、ＰＣ５  ＱｏＳルールに基づいて、すなわち、５．１．２．１項で定義されたような、サービス要件とＰＣ５  ＱｏＳパラメータのマッピングに基づいて、ＰＣ５  ＱｏＳパラメータを決定する。
−  アプリケーションレイヤがＶ２Ｘサービスのためのサービス要件を提供しない場合、Ｖ２Ｘレイヤは、５．１．２．１項で定義されたようなサービスタイプとＰＣ５  ＱｏＳパラメータとの間のマッピングに基づいて、ＰＣ５  ＱｏＳパラメータを決定する。
−  Ｖ２Ｘレイヤは、ＰＣ５  ＱｏＳフロー識別子（ＰＦＩ）を割り当て、ＰＣ５  ＱｏＳパラメータをＰＦＩに関連付ける。
−  Ｖ２Ｘレイヤは、ＰＦＩおよびＰＣ５のＱｏＳパラメータをフローごとのＱｏＳモデル動作のＡＳレイヤに提供する。
−  Ｖ２Ｘレイヤは、ＰＦＩとともにＶ２Ｘサービスデータを送信のためにＡＳレイヤに渡す。
自律型リソース選択モードを使用するときに、以下の追加原則が適用される：
−  ＵＥは、ＰＣ５  ＱｏＳ処理にＰＣ５  ＱｏＳパラメータを使用することができる。
Editor's  Note：ネットワークスケジュールの動作モードのためのＱｏＳ処理はＦＦＳである。
５．４．１．３  ＰＣ５リファレンスポイント上のグループキャストモードのＶ２Ｘ通信のためのＱｏＳ処理
５．４．１．２項で説明されたＱｏＳ処理が適用される。
５．４．１．４  ＰＣ５参照ポイント上のユニキャストモードのＶ２Ｘ通信のためのＱｏＳ処理
５．４．１．２項で説明されたＱｏＳ処理が、以下の追加事項と共に適用される：
−  ＰＦＩおよびＰＣ５  ＱｏＳパラメータは、６．３．３．１項で説明されるようにレイヤ２リンク確立手順の間に折衝される。
５．４．２  ＰＣ５  ＱｏＳパラメータ
５．４．２．１  ＰＱＩ
ＰＱＩは、ＴＳ  ２３．５０１［６］の５．７．２．１項に定義されたような特別な５ＱＩであり、５．４．３項に定義されたＰＣ５  ＱｏＳ特性の参照として使用され、すなわち、ＰＣ５参照ポイント上のパケットのためのＱｏＳフォワード処理を制御するパラメータである。
標準化されたＰＱＩ値は、表５．４．４−１に規定されているように、ＰＣ５のＱｏＳ特性の標準化された組み合わせに対して１対１のマッピングを有する。
５．４．２．２  ＰＣ５フロービットレート
ＧＢＲ  ＱｏＳフローのみの場合、以下の追加のＰＣ５  ＱｏＳパラメータが存在する：
−  保証フロービットレート（ＧＦＢＲ）；
−  最大フロービットレート（ＭＦＢＲ）。
ＴＳ  ２３．５０１［６］の５．７．２．５項に定義されているＧＦＢＲおよびＭＦＢＲは、Ａｖｅｒａｇｉｎｇ  Ｔｉｍｅ  Ｗｉｎｄｏｗ上のＰＣ５リファレンスポイントのビットレート制御に使用される。
ＰＣ５通信の場合、同じＧＦＢＲとＭＦＢＲを両方向に使用される。
５．４．２．３  ＰＣ５  Ｌｉｎｋ  Ａｇｇｒｅｇａｔｅｄ  Ｂｉｔ  Ｒａｔｅｓ
ＰＣ５ユニキャストリンクは、以下のアグリゲートレートリミットＱｏＳパラメータに関連付けられる：
−  ｐｅｒ  ｌｉｎｋ  Ａｇｇｒｅｇａｔｅ  Ｍａｘｉｍｕｍ  Ｂｉｔ  Ｒａｔｅ  （ＰＣ５  ＬＩＮＫ−ＡＭＢＲ）。
ＰＣ５  ＬＩＮＫ−ＡＭＢＲは、ＰＣ５ユニキャストリンク上のピアＵＥで、すべての非ＧＢＲ  ＱｏＳフローにわたって提供されることが期待されるアグリゲートビットレートを制限する。ＰＣ５  ＬＩＮＫ−ＡＭＢＲは、標準化された値であるＡＭＢＲ平均ウィンドウ上で測定される。ＰＣ５  ＬＩＮＫ−ＡＭＢＲは、ＧＢＲ  ＱｏＳフローには適用可能ではない。
NOTE：ＡＭＢＲ平均ウィンドウは、ＰＣ５  ＬＩＮＫ−ＡＭＢＲ測定にのみ適用可能である。
Editor's  Note：ＰＣ５  ＬＩＮＫ−ＡＭＢＲが必要かどうか、またＵＥ  ＰＣ５  ＡＭＢＲとの関係については、ＰＣ５のＲＡＮ設計に基づいて検討する。
５．４．２．４  Ｒａｎｇｅ
Editor's  Note：  ＲＡＮのフィードバックに基づいてＲａｎｇｅの定義が追加される。
５．４．２．５  Ｄｅｆａｕｌｔ  Ｖａｌｕｅ
ＵＥには、特定のサービス、例えばＰＳＩＤ／ＩＴＳ−ＡＩＤによって識別されるＰＣ５  ＱｏＳパラメータのデフォルト値を設定してもよい。対応するＰＣ５  ＱｏＳパラメータが上位レイヤで提供されない場合、デフォルト値が使用される。
［．．．］